(57)【特許請求の範囲】
【請求項１】
隣り合う２辺にそれぞれ雄実と雌実が形成されてなる平面視略矩形状を有し、雌実が形成される隣り合う２辺において該雌実の奥部から雄実側に２．０〜１５．５ｍｍの位置に床材裏面側から表面側に向けてそれぞれ溝が形成されてなる床材を雄実と雌実との嵌合を介して連接しつつ下地材に施工した後に一の床材を取り外す方法であって、取り外すべき床材を上方に引き上げることにより、前記溝から雌実の下方突部を含む部分を破断させて、該床材を取り外すことを特徴とする床材の取り外し方法。
【請求項２】
取り外すべき床材を上方に引き上げる作業が、該床材における前記溝の交点近くの表面側の箇所に係止用治具を取り付け、この係止用治具に工具を係止させて該床材を引き上げることによって行われることを特徴とする、請求項１記載の床材の取り外し方法。
【発明の詳細な説明】
【技術分野】
【０００１】
本発明は、傷や破損が生じた場合などに取り外しが容易な床材およびその取り外し方法に関する。
【背景技術】
【０００２】
床材を雄実と雌実との嵌合を介して連接施工した後に、傷や破損が生じた一枚または数枚の床材を取り外して新たな床材に取り替えることが必要となる場合がある。このような場合、従来は、取り外そうとする床材の外周縁に沿ってその内側に表面から切り込みを入れて該切り込みの内側の床材部分を取り外した後、該床材に隣接する床材との嵌合部分を取り除いていた。
【先行技術文献】
【特許文献】
【０００３】
【特許文献１】特開２００１−２６２８１５号公報
【発明の概要】
【発明が解決しようとする課題】
【０００４】
しかしながら、このような従来技術によると、切り込みを形成する際や嵌合部分を取り除く際に隣接する床材を傷付けてしまうことがあった。また、切り込み形成の際に粉塵ゴミが発生し、作業環境を悪化させると共に、発生した粉塵ゴミの掃除も必要となる。床材の裏面の一部に接着剤を点状または線状に塗布することによって床下地に対する接着力を弱めた状態とすることで、床材を剥がしやすいものとすることも提案されている（特許文献１）が、このようにしても嵌合部分（特に雌実の下方突部）が邪魔になって取り外すことができず、結局は前記従来技術と同様に嵌合部分を切除しなければならない。
【０００５】
したがって、本発明が解決しようとする課題は、傷や破損が生じた床材の取り外しを容易にすると共に取り外しの際に粉塵ゴミなどを発生させないようにすることである。
【課題を解決するための手段】
【０００６】
この課題を解決するため、本発明は、隣り合う２辺にそれぞれ雄実と雌実が形成されてなる平面視略矩形状を有し、雌実が形成される隣り合う２辺において該雌実の奥部から雄実側に２．０〜１５．５ｍｍの位置に床材裏面側から表面側に向けてそれぞれ溝が形成されてなる床材を雄実と雌実との嵌合を介して連接しつつ下地材に施工した後に一の床材を取り外す方法であって、取り外すべき床材を上方に引き上げることにより、前記溝から雌実の下方突部を含む部分を破断させて、該床材を取り外すことを特徴とする。各溝は、雌実の下方突部の高さ以上であって且つ上方突部の下面には至らない高さまでの深さに形成されることが好ましい。
【０００７】
本発明において、取り外すべき床材を上方に引き上げる作業は、該床材における前記溝の交点近くの表面側の箇所に係止用治具を取り付け、この係止用治具に工具を係止させて該床材を引き上げることによって行うことができる。
【発明の効果】
【０００８】
本発明によれば、傷や破損が生じた床材を取り外す場合、該床材の雌実に近い部分を上方に引き上げたときに、雌実の奥方裏面側に形成された溝を起点として、雌実の下方突部を含む部分が破断されるので、床材を容易に取り外すことができる。該溝は、雌実の奥部から雄実側に２．０〜１５．５ｍｍの位置に形成される。この溝位置が２．０ｍｍより小さいと、雌実側の床材端部からの距離が短すぎることになり、下地に不陸がある場合に施工時に破損したり、強度が不足して基板となる合板やＭＤＦに破損や剥離が生じたりする恐れがあるので、床材全体および雌実の下方突部の強度を確保するために雌実奥部から溝までの距離を２．０ｍｍ、好ましくは８．５ｍｍ以上とする。一方、この距離が１５．５ｍｍを越えると、雌実側の床材端部から離れすぎてしまい、取り外すべき床材を引き上げても破断しにくいものとなると共に、破断後に床下地上に残る部分が大きくなって除去作業が困難または煩雑になる。
【０００９】
さらに、この溝が、床材裏面から雌実を形成する下方突部の高さ以上であって且つ上方突部の下面には至らない高さまでの深さに形成されることにより、取り外すべき床材を引き上げたときに雌実の下方突部を含む部分がより容易に破断されることになる。
【００１０】
本発明によれば、傷や破損が生じた床材を施工後に取り外す際に、床材を引き上げるだけで床材を容易に取り外すことができ、前記従来技術のように内部に切り込みを形成する必要がないので、粉塵ゴミが発生せず、掃除の手間も要しない。
【００１１】
また、床材を取り外す際に、該床材における溝の交点近くの表面側の箇所に係止用治具を取り付け、この係止用治具に工具を係止させて該床材を引き上げるようにすると、スムーズに取り外し作業を行うことができ、作業性が向上する。
【図面の簡単な説明】
【００１２】
【図１】本発明の一実施形態による床材の断面図（ａ）および雌実部拡大断面図（ｂ）である。断面図（ａ）は図２Ａ−Ａ切断線による断面図である。
【図２】この床材の裏面図である。
【図３】この床材の施工状態断面図である。
【図４】施工された床材を取り外すときの説明図である。
【図５】取り外した床材に代えて使用可能な床材の雌実部の構成を例示する拡大断面図である。
【図６】図５に例示した床材の施工状態断面図である。
【図７】本発明の他実施形態による床材の断面図（ａ）および雌実部拡大断面図（ｂ）である。
【図８】この床材の基材裏面図である。
【図９】この床材の施工状態断面図である。
【図１０】施工された床材を取り外すときの説明図である。
【図１１】取り外した床材に代えて使用可能な床材の雌実部の構成を例示する拡大断面図である。
【図１２】図１１に例示した床材の施工状態断面図である。
【図１３】本発明のさらに他実施形態による床材の裏面図である。
【図１４】本発明のさらに他実施形態による床材の裏面図である。
【図１５】本発明のさらに他実施形態による床材の裏面図である。
【図１６】雄実側にも溝を形成した実施形態において床材を取り外すときの該雄実側の破断状態を示す説明図である。
【図１７】床材を取り外す際に使用される係止用治具の斜視図である。
【図１８】この係止用治具を取り外すべき床材に取り付ける際の作業を説明する斜視図である。
【図１９】この係止用治具が取り付けられた状態の部分断面図である。
【図２０】この係止用治具にバールを当てて床材を引き上げる際の作業を説明する斜視図である。
【図２１】図２０と同様の作業を説明する断面図である。
【発明を実施するための形態】
【００１３】
以下に実施例を挙げて本発明について詳述するが、本発明はこれら実施例に限定されるものではなく、特許請求の範囲の記載によって定義される発明の範囲内において様々な変形態様を取り得る。
【実施例１】
【００１４】
図１には本発明の一実施形態による床材、すなわち、隣り合う２辺に本実加工による雄実２と雌実３が形成されてなる平面視略矩形状の床材１が示されている。図１は床材１の短手方向（幅方向）に沿って切断した状態の断面図であって該短手方向の両端に形成された雄実２と雌実３が示されているが、長手方向（長さ方向）の両端にも同様に雄実２と雌実３が形成されている（図２）。
【００１５】
床材１の材質は特に限定されるものではなく、合板や木質繊維板、ＯＳＢなどの木質基材を単独または任意組み合せてなるものや、これに高密度の軟質樹脂シート、ゴムシート、発泡樹脂シートなどのシート材を任意位置に積層させてなる積層板ないし複合板を用いることができ、施工後に引き上げたときに雌実の下方突部が破断されるものであれば良い。
【００１６】
この床材１において、雌実３の奥部３ａから雄実２側に２．０（好ましくは８．５）〜１５．５ｍｍの位置に、床材１の長手方向全長に亘って延長する溝４および短手方向全長に亘って延長する溝５が、それぞれ床材裏面１ｂ側から表面１ａ側に向かって、雌実３を形成する下方突部３ｂの高さ以上であって且つ上方突部３ｃの下面には至らない高さまでの深さに形成されている（図１（ｂ））。溝深さは一般に１．５〜８ｍｍの範囲であり、例として、６ｍｍ厚の床材では２．５ｍｍ、１２ｍｍ厚の床材では５．５ｍｍの深さを有するものとして溝４，５が形成される。また、溝４，５の幅は１〜５ｍｍ程度である。溝４，５の形状は断面コ字形状のほか、断面Ｖ字形状や、断面コ字形状の奥部をＶ字形状に尖らせた形状などであっても良く、特に限定されるものではない。
【００１７】
図３はこの床材１の施工状態断面図であり、接着剤８（図４）を塗布した下地材６に床材１，１を配置して雄実２と雌実３との嵌合を介して連接施工される。より具体的には、既設の床材１（図３右側の床材１）の雄実２を雌実３に嵌合させながら床材１（図３左側の床材１）を接着剤を介して下地材６に取り付けた後、雄実２の突部根元付近から釘７を打ち込んで下地材６に固定する。接着剤に代えて、両面テープや面ファスナーなどを床材裏面１ｂに取り付けて下地材６に固定しても良い。雄実２の突部表面および／または雌実３の内面に接着剤を塗布して、隣接する床材１，１同士の嵌合を強化することができる。また、釘７に代えてビスやステープルなどを用いることもある。
【００１８】
なお、床材１を下地材６に施工する際に用いる接着剤８としては、ウレタン系接着剤に無機系の充填材を加えたものを使用することが好ましい。充填材を加えることにより、接着力を弱めて床材１の取り外しを容易にすることができると共に、接着剤の増量効果も得られる。充填材としては、たとえば粉状の炭酸カルシウムを用いることができる。また、床材１の層間剥離強度よりも小さい剥離強度を有する接着剤が用いられる。
【００１９】
図３のように施工された床材１に傷や破損が生じて新たな床材との交換のために取り外すことが必要となった場合は、図４に示すように、取り外そうとする床材１（図４中央の床材１）を上方に引き上げることにより、雌実３の奥方裏面側に形成された溝４，５から雌実３の下方突部３ｂを含む部分３ｄを破断させて、隣接する床材（図４右側の床材１）の雄実２との嵌合を解除させる。そして、引き上げた床材１を雌実３側に斜めに引き上げることで、雄実２を反対側の隣接床材（図４左側の床材１）の雌実３との嵌合から引き抜いて、該床材１を取り外すことができる。雄実２側から打ち込まれている釘７は、該床材１の引き上げと共に下地材６から引き抜かれる。床材１を引き上げるための具体的作業については後述する。
【００２０】
このようにして床材１を取り外した後、取り外された箇所の床下地６面に残存している接着剤８や両面テープなど、また取り外した際に発生した床材１の破片などを、ヘラなどを用いて除去する。また、取り外した床材１の雌実下方突部３ｂを含む破断部分３ｄが、隣接する床材１（図４右側の床材１）の雄実２の突部下方において床下地６に接着された状態で残置されるので、この破断部分３ｄも同様にヘラなどで除去する。
【００２１】
取り外した床材１に代えて施工する床材としては、図５（ａ），（ｂ）に例示したような雌実部形状を有する床材９ａ，９ｂを使用することができる。この取替え用の床材９ａ，９ｂは、取り外した床材１の両側に隣接する既設床材１，１（図４右側および左側の床材１，１）の間に上方から嵌め込むようにして施工しなければならないので、雌実下方突部３ｂを切除しておく必要がある。
【００２２】
床材９ａは、床材１の雌実奥部３ａから溝４，５に向けて略水平に切り込みを入れることによって雌実下方突部３ｂを切除したものであり、雌実上方突部３ｃの下面から溝４の奥面４ａおよび雄実２側の側面４ｂによって規定される空間１０ａを形成する。この床材９ａは、図６（ａ）に示すように、床材１の取り外し後に接着剤８などを除去して平滑にされた床下地６面に接着剤を塗布すると共に、図４右側に隣接する床材１の雄実２の突部上面にも接着剤を塗布した後、雄実２（図６（ａ）には図示せず）を図４左側に隣接する床材１の雌実３に嵌合し、右側隣接床材１の雄実２を雌実下方突部３ｂ切除後の空間１０ａに収容するようにして雌実上方突部３ｃを嵌合して、施工することができる。
【００２３】
床材９ｂは、床材１の雌実下方突部３ｂの付け根付近の裏面１ｂ側から雌実奥部３ａに向けて略垂直に切り込みを入れることによって雌実下方突部３ｂを切除したものであり、雌実上方突部３ｃの下面から雌実奥部３ａに沿った切り込み面によって規定される空間１０ｂを形成している。この床材９ｂでは当初の床材１に形成されている溝４，５がそのまま残され、薄板状の下方突部３ｅを有する。この床材９ｂも上述の床材９ａと同様にして施工することができる（図６（ｂ））。
【００２４】
これらの床材９ａ，９ｂには雄実２の下方に嵌合される雌実下方突部３ｂが切除されているので、施工した後にさらに傷や破損が生じて新たな床材との交換のために取り外すことが必要となった場合には、雌実３側を斜めに引き上げて雄実２を隣接床材の雌実３との嵌合から引き抜くだけで、容易に取り外すことができる。
【００２５】
なお、取り外した床材１の雌実下方突部３ｂを含む破断部分３ｄを除去することについて既述したが、必ずしも破断部分３ｄをすべて除去する（図６（ａ），（ｂ））必要はなく、床材９ａ，９ｂを施工する際に破断部分３ｄが邪魔にならない（言い換えれば、除去後になお残る部分が空間１０ａ，１０ｂに完全に収容される）程度まで除去すれば実際上十分である。一般に、雌実下方突部３ｂの裏面には接着剤を塗布せずに施工される場合が多いので、このような場合には破断部分３ｄを引き抜くことによって簡単に除去することができる。
【００２６】
以上の説明においては、床材１を取り外す作業および取り外した床材１のスペースに取替え用の床材９ａ，９ｂを施工する作業について、床材１の短手方向断面を示す図（図４，図６）を参照したが、床材１の長手方向断面においても同様の作業を行うことは言うまでもない。すなわち、既述および図４に示すと同様にして、床材１の短手方向に延長する雌実３側も引き上げて反対側の雄実２を隣接床材の雌実３との嵌合から引き抜くことにより、床材１を取り外す。また、既述および図６に示すと同様にして、取替え用の床材９ａ，９ｂの短手方向に延長する雄実２を隣接する床材の雌実３に嵌合させ、雌実上方突部３ｃを反対側の隣接床材１の雄実２に被せるようにして、該取替え用の床材を施工するものである。
【実施例２】
【００２７】
図７には本発明の他の実施形態による床材として、ＭＤＦなどの木質基材１の裏面にクッション材１２が貼着されてなる防音床材１１が示されている。木質基材１は既述実施形態の床材１と略同様の構成を有するので、同一または対応する部分には同一の符号を付してそれらの詳細な説明を割愛する。クッション材１２にはポリウレタン発泡体その他の樹脂発泡樹脂シートなどのクッション性に優れた材料が使用され、床材としての防音性を高めている。クッション材１２はエポキシ系接着剤などの常用接着剤により木質基材１の裏面に貼着される。また、木質基材１の裏面には、床材取り外しの際に破断の起点となる溝４，５とは別に、木質基材１の剛性を弱めて防音性を向上させるための裏溝１３が形成されている（図８）。この例では床材１１の短手方向に延長する裏溝１３が所定間隔で複数本形成されているが、さらに長手方向に延長する裏溝を形成しても良い。裏溝形成については従来公知であり、且つ、本発明の主題に直接関連しないので、これ以上の詳細な説明を割愛する。
【００２８】
図９はこの床材１１の施工状態断面図であり、接着剤（図示せず）を塗布した下地材６に床材１１，１１を配置して雄実２と雌実３との嵌合を介して連接施工される。この施工状態も既述実施形態と略同様であり、各床材１１は木質基材１の雄実２の突部根元付近から打ち込まれた釘７で下地材６に固定される。
【００２９】
このように施工された床材１１に傷や破損が生じて新たな床材との交換のために取り外すことが必要となった場合の取り外し作業も既述実施形態と同様にして行うことができる。すなわち、図１０に示すように、取り外そうとする床材１１（図１０中央の床材１１）を吸盤器などを用いて上方に引き上げることにより、雌実３の奥方裏面側に形成された溝４，５から雌実３の下方突部３ｂを含む部分３ｄを破断させて、隣接する床材１１（図１０右側の床材１１）の雄実２との嵌合を解除する。そして、引き上げた床材１１を雌実３側に斜めに引き上げることで、雄実２を反対側の隣接床材（図１０左側の床材１１）の雌実３との嵌合から引き抜いて、該床材１１を取り外すことができる。雄実２側から打ち込まれている釘７は、該床材１１の引き上げと共に下地材６から引き抜かれる。
【００３０】
この床材１１は、ＭＤＦなどの木質基材１の裏面にクッション材１２が貼着されてなる防音床材であって基材１の裏面には短手方向に延長する裏溝１３が所定間隔で複数本形成されている。このため、長手方向に延長する溝４は裏溝１３と直交することになって、この溝４近くの雌実下方突部３ｂは裏溝１３によって複数区画に分断される（図８）。したがって、取り外しの際に床材１１を引き上げたときに個々の区画ごとに破断が生ずることになり、より軽微な引き上げ力でも破断させることができ、取り外しをより容易に行うことができる。
【００３１】
そして、取り外された箇所の床下地６面に残存している接着剤８や両面テープなど、また取り外した際に発生した床材１１の破片などを、ヘラなどを用いて除去する。また、取り外した床材１１の雌実下方突部３ｂを含む破断部分３ｄ（およびその裏面に貼着されている部分のクッション材１２’）が、隣接する床材１１（図１０右側の床材１１）の雄実２の突部下方において床下地６に接着された状態で残置されるので、この破断部分３ｄも同様にヘラなどで除去する。
【００３２】
取り外した床材１１に代えて施工する床材としては、図１１（ａ），（ｂ）に例示したような雌実部形状を有する床材１４ａ，１４ｂを使用することができる。この取替え用の床材１４ａ，１４ｂは、取り外した床材１１の両側に隣接する既設床材１１，１１（図１０右側および左側の床材１１，１１）の間に上方から嵌め込むようにして施工しなければならないので、雌実下方突部３ｂを切除しておく必要がある。
【００３３】
床材１４ａは、床材１１の雌実奥部３ａから溝４，５に向けて略水平に切り込みを入れることによって雌実下方突部３ｂを切除したものであり、雌実上方突部３ｃの下面から溝４の奥面４ａおよび雄実２側の側面４ｂによって規定される空間１５ａを形成する。この床材１４ａは、図１２（ａ）に示すように、床材１１の取り外し後に接着剤８などを除去して平滑にされた床下地６面に接着剤を塗布すると共に、図１０右側に隣接する床材１１の雄実２の突部上面にも接着剤を塗布した後、雄実２（図１２（ａ）には図示せず）を図１０左側に隣接する床材１１の雌実３に嵌合し、右側隣接床材１１の雄実２を雌実下方突部３ｂ切除後の空間１４ａに収容するようにして雌実上方突部３ｃを嵌合して、施工することができる。
【００３４】
床材１４ｂは、床材１１の雌実奥部３ａから裏面に向けて略垂直に切り込みを入れることによって雌実下方突部３ｂを切除したものであり、雌実上方突部３ｃの下面から雌実奥部３ａに沿った切り込み面によって規定される空間１５ｂを形成する。この床材１４ｂも上述の床材１４ａと同様にして施工することができる（図１２（ｂ））。
【００３５】
これらの床材１４ａ，１４ｂには雄実２の下方に嵌合される雌実下方突部３ｂが切除されているので、施工した後にさらに傷や破損が生じて新たな床材との交換のために取り外すことが必要となった場合には、雌実３側を斜めに引き上げて雄実２を隣接床材の雌実３との嵌合から引き抜くだけで、容易に取り外すことができる。
【００３６】
なお、取り外した床材１１の雌実下方突部３ｂを含む破断部分３ｄおよびクッション材１２’を除去する場合、必ずしもこれらの残存部分すべてを除去する（図１２（ａ），（ｂ））必要はなく、床材１４ａ，１４ｂを施工する際に該残存部分が邪魔にならない（言い換えれば、除去後になお残る部分が空間１５ａ，１５ｂに完全に収容される）程度まで除去すれば実際上十分である。
【００３７】
図１０では、防音床材１１を取り外したときに、雌実３の下方突部３ｂの裏面側のクッション材１２が引きちぎられて雌実下方突部３ｂの破断部分３ｄと共に破断部分１２’として下地材６上に残るように示されているが、接着剤８の接着強度や接着箇所、クッション材１２の密度などによっては、クッション材１２の全体が基材１と共に引き抜かれて、雌実３の下方突部３ｂの破断部分３ｄのみが残される場合もある。いずれにしても、取替え用の床材１４ａ，１４ｂは雌実下方突部３ｂが切除されているので、前述のようにして簡単に施工することができる。
【００３８】
以上の説明においては、床材１１を取り外す作業および取り外した床材１１のスペースに取替え用の床材１４ａ，１４ｂを施工する作業について、床材１１の短手方向断面を示す図（図１０，図１２）を参照したが、床材１１の長手方向断面においても同様の作業を行うことは言うまでもない。すなわち、既述および図１０に示すと同様にして、床材１１の短手方向に延長する雌実３側も引き上げて反対側の雄実２を隣接床材の雌実３との嵌合から引き抜くことにより、床材１を取り外す。また、既述および図１２に示すと同様にして、取替え用の床材１４ａ，１４ｂの短手方向に延長する雄実２を隣接する床材の雌実３に嵌合させ、雌実上方突部３ｃを反対側の隣接床材１の雄実２に被せるようにして、該取替え用の床材を施工するものである。
【実施例３】
【００３９】
図１３には本発明のさらに他の実施形態による床材が示されている。この床材１は実施例１による床材１（特に図２参照）とほぼ同一の構成であるが、床材１の長手方向全長に亘って延長する溝４と、短手方向全長に亘って延長する溝５とで、それぞれ雌実３，３の奥部３ａ，３ａからの形成位置を異なるものとしている点で相違している。たとえば、６ｍｍ厚ＭＤＦを基板とする床材１では、長手方向に延長する溝４を雌実奥部３ａから１１ｍｍの位置に、短手方向に延長する溝４を雌実奥部３ａから１４．５ｍｍの位置に形成し、１２ｍｍ厚合板を基板とする床材１では、長手方向に延長する溝４を雌実奥部３ａから９．５ｍｍの位置に、短手方向に延長する溝４を雌実奥部３ａから１３ｍｍの位置に形成することができる。このように、溝４，４の形成位置が雌実奥部３ａから２．０（好ましくは８．５）〜１５．５ｍｍの範囲内にあれば、各方向の溝の形成位置を変えても良い。Ａ−Ａ断面は図１と同様に表されるので図示省略する。
【実施例４】
【００４０】
図１４には本発明のさらに他の実施形態による床材が示されている。実施例１による床材１（特に図２参照）ではその裏面側において隣り合う２辺の雌実奥部３ａから２．０〜１５．５ｍｍの位置にそれぞれ溝４，５が形成されているのに対し、この実施例の床材では、これら溝４，５に加えて、短手方向に延長する雄実２に沿って延長する溝５’が形成され、床材裏面に三方の溝４，５，５’が形成されている点で相違している。溝５’は、雄実２の突部根元から対向する雌実３側に向けて２〜１５．５ｍｍ、好ましくは８．５〜１５．５ｍｍの位置に形成される。
【００４１】
特に床材基板の厚さが厚くなると、釘などの強固な固定手段で床下地に固定されることになるため、隣り合う２辺の雌実裏面側に溝４，５が形成されているだけの場合、これら２辺に沿って溝４，５から雌実下方突部３ｂを含む端部分３ｄ（図４）を破断させることは比較的容易であるが、溝が形成されていない他の２辺の雄実２，２側で強固に固定されていると、該雄実２，２を取り外すことが困難になる場合がある。そこで、この実施例では、雌実３，３裏面側の溝４，５に加えて、さらに一方の雄実２の裏面側にも溝５’を形成して三方溝とすることによって、上記課題を解決している。
【００４２】
この実施例の床材１を取り外すときは、隣り合う２辺の雌実３，３側において溝４，５から端部にかけての下方突部３ｂ，３ｂを含む裏面側端部分３ｄを破断させると共に、溝５’が形成された雄実２側においても該溝５’から端部にかけての部分をも同時に破断させることができるので、床材が厚い場合であっても、取り外し作業が容易である。雌実下方突部３ｂを含む裏面側端部分３ｄの破断については実施例１について図４を参照して説明したと同様にして行われる。溝５’が形成された雄実２側においては、図１６に示すように、床材１を引き上げたときに該雄実２の突部根元付近に形成された溝５’から該雄実２を含む裏面側部分１６が破断する。床板１を取り外した後に、この破断部分１６を雌実３から引き抜いて除去する。床材施工時の接着剤は四周縁部を除いた中央領域において下地材６に塗布されるのが通常であり、破断部分１６の裏面には接着剤８が塗布されていないので、破断部分１６の除去は容易である。図１６において符号１ｃは、雄実２の上方に残された床材上端部である。
【実施例５】
【００４３】
図１５には本発明のさらに他の実施形態による床材が示されている。実施例１による床材１（特に図２参照）ではその裏面側において隣り合う２辺の雌実奥部３ａから２．０〜１５．５ｍｍの位置にそれぞれ溝４，５が形成されているのに対し、この実施例の床材では、これら溝４，５に加えて、長手方向に延長する雄実２に沿って延長する溝４’が形成され、床材裏面に三方の溝４，５，４’が形成されている点で相違している。溝４’は、雄実２の突部根元から対向する雌実３側に向けて２〜１５．５ｍｍ、好ましくは８．５〜１５．５ｍｍの位置に形成される。この実施例においても、実施例４と同様に、床材１を取り外す際に、隣り合う２辺の雌実３，３側において溝４，５から端部にかけての下方突部３ｂ，３ｂを含む裏面側端部分３ｄを破断させると共に、溝４’が形成された雄実２側においても該溝４’から端部にかけての部分をも同時に破断させることができるので、床材が厚い場合であっても、取り外し作業が容易となる利点がある。また、この実施例において溝４’が形成された雄実２側における破断も、図１６を参照して既述したと同様にして行われる。なお、図示しないが、実施例４における溝５’と実施例５における溝４’の両方を形成して各辺に沿って四方溝を形成しても良いことは言うまでもない。
【実施例６】
【００４４】
この実施例では、図３のように施工された床材１に傷や破損が生じて新たな床材との交換のために取り外すことが必要となった場合における具体的な取り外し作業について、図１７〜図２１を参照して説明する。
【００４５】
この取り外し作業には、図１７に示すような係止用治具２０を使用する。この係止用治具２０は、たとえば１２ｍｍ厚の合板をカットして貼り合わせることにより２５０ｍｍ×７５ｍｍ×２４ｍｍ（厚さ）であって裏面側中央に空間２１を有する形状に形成され、床材施工現場において余った合板を利用して現場調達することができる。この係止用治具２０を、取り外そうとする床材１の雌実３，３に沿った２辺１ｄ，１ｅの角部近くに載置して、ネジ２２で該床材１に固定する（図１８，図１９）。このとき、ネジ２２は床材１を貫通して下地材６に若干（０〜２ｍｍ程度）入り込むような深さに打ち込むと良い。
【００４６】
そして、床材１の表面に取り付けた係止用治具２０における空間２１にバールなどの工具２３を挿入して、梃子の要領で床材１を引き上げていく（図２０，図２１）。このとき、支点となる箇所に当て板２４を置いて、取り外そうとする床材以外の床材表面に損傷を与えないようにすると良い。係止用治具２０は強固に床材１に取り付けられているので、工具２３を用いた引き上げ作業によって、辺１ｄおよび辺１ｅに沿って徐々に裏面側の雌実３，３の溝４，５から先端側の部分３ｄが破断していく。実施例４，５のように三方溝または四方溝を形成した場合には、辺１ｄ，１ｅの全長に亘ってスムーズに床材の引き上げおよび部分３ｄの破断を実行することができる。
【００４７】
なお、係止用治具２０を固定する箇所は、床材１において雌実３，３が形成されている辺１ｄ，１ｅの角部近くであり、その箇所での引き上げ作業によって雌実先端部分３ｄを最も破断させやすいように設定されるが、一般に辺１ｄ，１ｅから約１５ｍｍ程度を残すように位置決めされる。
【００４８】
上述した取り外し作業は好ましい実施形態であるが、必ずしもこれに限定されるものではない。たとえば、取り外そうとする床材の雌実形成辺１ｄ，１ｅの角部や近接箇所に１個または複数個の吸盤器を取り付けて、その減圧吸引力を利用して床材を引き上げる方法なども採用可能である。
【符号の説明】
【００４９】
１  床材
１ａ  床材の表面
１ｂ  床材の裏面
１ｃ  雄実側の破断後に残存する上端部
１ｄ  雌実が形成されている短手方向の辺
１ｅ  雌実が形成されている長手方向の辺
２  雄実
３  雌実
３ａ  雌実の奥部
３ｂ  雌実の下方突部
３ｃ  雌実の上方突部
３ｄ  破断部分
３ｅ  下方突部
４  溝（雌実裏面側において長手方向に延長する溝）
４ａ  溝の奥面
４ｂ  溝の側面
４’  溝（雄実裏面側において長手方向に延長する溝）
５  溝（雌実裏面側において短手方向に延長する溝）
５’  溝（雄実裏面側において短手方向に延長する溝）
６  下地材
７  釘
８  床材取り外し後に下地材面に残存する接着剤
９ａ，９ｂ  取替え用の床材
１０ａ，１０ｂ  雌実裏面側の空間
１１  床材
１２  クッション材
１２’  破断部分
１３  裏溝
１４ａ，１４ｂ  取替え用の床材
１５ａ，１５ｂ  雌実裏面側の空間
１６  雄実側の破断部分
２０  係止用治具
２１  空間
２２  取付ネジ
２３  工具
２４  当て板
【図１】
0005629163.tif 000002
【図２】
0005629163.tif 000003
【図３】
0005629163.tif 000004
【図４】
0005629163.tif 000005
【図５】
0005629163.tif 000006
【図６】
0005629163.tif 000007
【図７】
0005629163.tif 000008
【図８】
0005629163.tif 000009
【図９】
0005629163.tif 000010
【図１０】
0005629163.tif 000011
【図１１】
0005629163.tif 000012
【図１２】
0005629163.tif 000013
【図１３】
0005629163.tif 000014
【図１４】
0005629163.tif 000015
【図１５】
0005629163.tif 000016
【図１６】
0005629163.tif 000017
【図１７】
0005629163.tif 000018
【図１８】
0005629163.tif 000019
【図１９】
0005629163.tif 000020
【図２０】
0005629163.tif 000021
【図２１】
0005629163.tif 000022